(57)【特許請求の範囲】
【請求項１】
有底筒状のます本体を備え、該ます本体に接続された少なくとも一つの流入用排水管を介して該ます本体内に流入した雨水を、該ます本体に接続された複数の流出用排水管を介して該ます本体の外へ排水する分水ますであって、
前記ます本体の側壁には、
浸透機能を有する槽を除く排水先に接続されており、該排水先が最優先に排水されるべき排水先となるような流出用排水主管が接続される基準流出口と、
前記流出用排水主管とは異なる流出用排水副管、及び流入用排水管がそれぞれ接続可能な複数の流出入兼用口と、
が設けられており、
さらに、該複数の流出入兼用口の下端は、該ます本体において前記基準流出口の下端より高い位置に設定され、かつ互いに同じ高さに設定されており、該流出入兼用口に接続された位置における流出用排水副管及び流入用排水管の各管底が、該基準流出口に接続された位置における流出用排水主管の管底より高い位置に配置され、かつ互いに同じ高さに配置され、
さらに複数の流出入兼用口において一の流入用排水管が接続された流出入兼用口以外に、流出入兼用口が２以上あり、該流出入兼用口には少なくとも流出用排水副管が接続されており、該ます本体内において流入用排水管と流出用排水副管との間に連結管が接続されていない
ことを特徴とする分水ます。
【請求項２】
前記流出入兼用口にあって、前記流出用排水副管及び前記流入用排水管のいずれも接続されない流出入兼用口には該流出入兼用口の開口を塞ぐキャップが装着されている
請求項１に記載の分水ます。
【発明の詳細な説明】
【技術分野】
【０００１】
本発明は、流入した雨水を複数の排水先に排水する分水ます及びこれを用いた分水システムに関するものである。
【背景技術】
【０００２】
従来、雨水を処理するための構造や処理方法などは種々提案されている（例えば、特許文献１〜３参照。）。また、実際に、図５ａ，図５ｂに示すような分水システム１００も既に提供されている。該分水システム１００にあっては、側溝１１１（又は雨水本管）の近傍に分水ます１０１が埋設されており、該分水ます１０１は、コンクリート製のます本体１０２を有している。そして、該分水ます本体１０２の側壁には、流入用排水管１１０を接続するための流入口１０３と、側溝１１１に連通する排水管を接続するための第１の流出口１０４と、槽などの浸透施設１１２に連通する排水管を接続するための第２の流出口１０５とが設けられている。前記第１の流出口１０４は、前記流入口１０３より低い位置に設けられ、前記第２の流出口１０５は、該流入口１０３と該第１の流出口１０４との間の高さ位置に設けられている。これにより、流入用排水管１１０を介して分水ます１０１に流入した雨水は、まず側溝１１１へ排水され、ゲリラ豪雨などで水量が増大し、分水ます１０１において第１の流出口１０４から側溝１１１へ流出する雨水の量よりも流入口１０３から該分水ます１０１に流入する雨水の量が多くなった際には適切かつ円滑に浸透施設１１２にも排水される。
【先行技術文献】
【特許文献】
【０００３】
【特許文献１】特開２００８−１５６９７４号公報
【特許文献２】特開２００８−１５６９７５号公報
【特許文献３】特開２０１１−３８２４１号公報
【発明の概要】
【発明が解決しようとする課題】
【０００４】
しかしながら、上記のコンクリート製分水ますにおいては、各開口が異なる高さに配置されており、各開口に接続される排水管が流入用であるか流出用であるかがあらかじめ決められている。このため、該分水ますの周りにおいて流入用排水管あるいは流出用排水管の配置が限定されてしまうことになり、従来構成の分水ますは配管設計の自由度が極めて低いという問題があった。一方、このような問題を解決するため、あらかじめ多種多様なコンクリート製分水ますを取り揃えようとすると、無駄が生じやすくなり、全体として製品コストが高騰してしまうという問題が生じる。
【０００５】
そこで、本発明は、配管設計の自由度が高い分水ます、及びこれを用いた分水システムを提供することを目的とする。
【課題を解決するための手段】
【０００６】
本発明は、有底筒状のます本体を備え、該ます本体に接続された少なくとも一つの流入用排水管を介して該ます本体内に流入した雨水を、該ます本体に接続された複数の流出用排水管を介して該ます本体の外へ排水する分水ますであって、前記ます本体の側壁には、浸透機能を有する槽を除く排水先に接続されており、該排水先が最優先に排水されるべき排水先となるような流出用排水主管が接続される基準流出口と、前記流出用排水主管とは異なる流出用排水副管、及び流入用排水管がそれぞれ接続可能な複数の流出入兼用口と、が設けられており、さらに、該複数の流出入兼用口の下端は、該ます本体において前記基準流出口の下端より高い位置に設定され、かつ互いに同じ高さに設定されており、該流出入兼用口に接続された位置における流出用排水副管及び流入用排水管の各管底が、該基準流出口に接続された位置における流出用排水主管の管底より高い位置に配置され、かつ互いに同じ高さに配置され、さらに複数の流出入兼用口において一の流入用排水管が接続された流出入兼用口以外に、流出入兼用口が２以上あり、該流出入兼用口には少なくとも流出用排水副管が接続されており、該ます本体内において流入用排水管と流出用排水副管との間に連結管が接続されていないことを特徴とする分水ますである。また、前記流出入兼用口にあって、前記流出用排水副管及び前記流入用排水管のいずれも接続されない流出入兼用口には該流出入兼用口の開口を塞ぐキャップが装着されていてもよい。
【０００７】
かかる構成にあって、前記分水ますに接続される流出用排水管のうち、最優先に排水されるべき排水先に繋がる流出用排水主管は、前記基準流出口に接続される。また、該分水ますに接続される流入用排水管は、配管に際して最も都合の良い位置の流出入兼用口が選択され、その流出入兼用口に接続される。さらに、前記流出用排水主管とは異なる流出用排水副管は、適宜、好適な位置の流出入兼用口が選択され、その流出入兼用口に接続される。ここで、複数の流出入兼用口は、前記基準流出口よりも高位に配されているため、前記流入用排水管によって分水ます内に案内された雨水は、まず前記基準流出口から外部へ排水されることとなる。また、流出入兼用口同士は互いに同じ高さに揃えられており、流入用であるか流出用であるかに関わらず排水管が接続可能となっているため、施工現場に応じて適宜配管設計されて、該分水ますに接続される。このように、本発明の分水ますは、最優先されるべき流出用排水主管への排水経路を確保しつつ、流出用排水副管及び流入用排水管に対する配管設計の自由度を高めることができる。なお、本発明にあって、流出用排水主管及び流出用排水副管は、流出用排水管に含まれるものであり、該流出用排水主管及び／又は該流出用排水副管を説明する際には、適宜、流出用排水管あるいは排水管ということがある。
【０００８】
また、流入用排水管が接続された流出入兼用口と、流出用排水副管が接続された流出入兼用口とが対向した構成にあって、該流入用排水管が接続された流出入兼用口と該流出用排水副管が接続された流出入兼用口との離間距離Ｄは、該流入用排水管が接続された流出入兼用口の口径ｄに対して、Ｄ≧３ｄである構成が好ましい。
【０００９】
ここで、流入用排水管が接続された流出入兼用口と、流出用排水副管が接続された流出入兼用口とが対向して配置された場合、該流入用排水管が接続された流出入兼用口から分水ます内に勢いよく流入した雨水が、基準流出口ではなく該流出用排水副管が接続された流出入兼用口に直接流入してしまうおそれがある。そこで、前記離間距離Ｄと前記口径ｄとを上記した関係とし、該流入用排水管が接続された流出入兼用口と該流出用排水副管が接続された流出入兼用口との離間距離を十分に確保することにより、基準流出口から排水可能な雨量状況にも関わらず該流入用排水管が接続された流出入兼用口から分水ます内に流入した雨水が該流出用排水副管が接続された流出入兼用口に直接流入してしまう、ことを防止できる。
【００１０】
また、前記ます本体内において、前記基準流出口にはオリフィスが配設されていることが好ましい。
【００１１】
かかる構成とすることにより、基準流出口から排水される雨水量を適宜調整することが可能となる。
【００１２】
また、前記ます本体が、有底円筒状であることが好ましい。
【００１３】
かかる構成とすることにより、前記複数の流出入兼用口を該ます本体の側壁にバランス良く配置することが可能となり、排水管の配管設計に無理が生じにくい。
【００１４】
さらに、本発明は、上記の分水ますを備えた分水システムであって、前記分水ますの流出入兼用口のいずれかに接続された流入用排水管には、上流から下流に向けて下方傾斜する管勾配が設定されていることを特徴とする分水システムである。
【００１５】
かかる構成とすることにより、最も雨水の逆流を防止すべき流入用排水管において、円滑に雨水を上流から下流へ流下させることが可能となる。
【００１６】
また、前記分水ますの流出入兼用口のいずれかに接続された流入用排水管には、上流側の端部が下流側の端部より高い位置に配された屈曲形状の継手が配設されていてもよい。
【００１７】
かかる構成とすることによっても、最も雨水の逆流を防止すべき流入用排水管において、円滑に雨水を上流から下流へ流下させることができる。
【００１８】
さらに、前記分水ますの流出入兼用口のいずれかに接続された流入用排水管には、有底筒状のます本体を備え、該ます本体の側壁に、下流側の開口と、該下流側の開口の下端より高い位置に下端が設定された上流側の開口とが設けられた排水ますが配設されていてもよい。
【００１９】
かかる構成とすることによっても、最も雨水の逆流を防止すべき流入用排水管において、円滑に雨水を上流から下流へ流下させることができる。
【００２０】
さらに、前記ます本体の流出入兼用口のうち、流出用排水副管が接続されている流出入兼用口には、フィルタ又はスクリーンが取り付けられていてもよい。
【００２１】
このように流出入兼用口にフィルタ又はスクリーンが取り付けられると、ゴミ等が流出用排水副管へ流入してしまうことを防ぐことができる。
【発明の効果】
【００２２】
本発明の分水ますは、複数の流出入兼用口を備えており、該流出入兼用口には流入用排水管及び流出用排水管のいずれも接続可能であるため、配管設計の自由度が極めて高い。また、本発明の分水システムは、様々な施工現場に対応できる利点がある。
【図面の簡単な説明】
【００２３】
【図１】(ａ）は分水ますの平面図、（ｂ）は(ａ）のＡ−Ａ線断面図。
【図２】分水システムを部分的に示す平面図。
【図３】分水システムを部分的に示す縦断面図。
【図４】分水システムを部分的に示す縦断面図。
【図５】従来の分水ますが用いられた分水システムの施工例であって、（ａ）は平面図、（ｂ）は縦断面図。
【発明を実施するための形態】
【００２４】
以下、本発明の分水ます及び該分水ますを用いた分水システムを具体化した実施例を詳細に説明する。なお、本発明は、下記に示す実施例に限定されることはなく、適宜設計変更が可能である。
【００２５】
図１ａ，図１ｂに示すように、分水ます１は、軸方向がほぼ鉛直方向とされた有底円筒状のます本体２を備えている。該ます本体２は、製造、加工が容易な樹脂製のものが好ましく、例えば硬質塩化ビニル樹脂製のものが強度も高く、特に好ましい。
【００２６】
図１ａに示すように、前記ます本体２の側壁には、１つの基準流出口５と、３つの流出入兼用口６，７，８とが設けられている。さらに、図１ｂに示すように、該複数の流出入兼用口６，７，８の下端は、該ます本体２において前記基準流出口５の下端より高い位置に設定され、かつ流出入兼用口６，７，８同士で互いに同じ高さとなるように配置されている。なお、本実施例においては、図１ａに示すように、前記基準流出口５を基準にして、時計回りに第１流出入兼用口６、第３流出入兼用口８、及び第２流出入兼用口７の順に配置されている。
【００２７】
また、前記ます本体２内においては、基準流出口５にオリフィス２０が取り付けられ、該基準流出口５からの排水量が調整されている。該オリフィス２０は、公知技術のものが好適に採用される。
【００２８】
次に、前記分水ます１を用いた分水システム３０を図２等に従って説明する。
図２に示すように、本実施例の分水システム３０は、前記分水ます１と、側溝１１１と、浸透施設１１２と、これらを繋ぐ排水管１５ａ〜１８ａとによって構成されている。
【００２９】
前記分水ます１の前記基準流出口５には、該基準流出口５から外向きに差し出された受口部１５を介して流出用排水主管１５ａが接続されている。そして、該流出用排水主管１５ａは、側溝１１１に接続されている。また、前記第１流出入兼用口６には、該第１流出入兼用口６から外向きに差し出された受口部１６を介して流入用排水管１６ａが接続されている。さらに、前記第３流出入兼用口８には、該第３流出入兼用口８から外向きに差し出された受口部１８を介して流入用排水管１８ａが接続されている。さらに、前記第２流出入兼用口７には、該第２流出入兼用口７から外向きに差し出された受口部１７を介して流出用排水副管１７ａが接続されている。そして、該流出用排水副管１７ａは、浸透施設１１２に接続されている。
【００３０】
上記した分水システム３０の分水ます１にあって、流出入兼用口６，７，８に接続された位置における流出用排水副管１７ａ及び流入用排水管１６ａ，１８ａの各管底は、前記基準流出口５に接続された位置における流出用排水主管１５ａの管底より高い位置に配置され、かつ前記流出用排水副管１７ａ及び前記流入用排水管１６ａ，１８ａの各管底は互いに同じ高さに配置されている。また、前記ます本体２における第２流出入兼用口７には、前記浸透施設１１２へのゴミ等の混入を防止するため、フィルタ２２が取り付けられている。該フィルタ２２は、公知技術のスクリーンであってもよい。
【００３１】
さらに、図３に示すように、前記分水ます１の流出入兼用口６，７，８に接続された流出用排水副管１７ａ及び流入用排水管１６ａ，１８ａは、それぞれ上流から下流に向けて下方傾斜する管勾配が設定されており、雨水が該流出用排水副管１７ａ及び該流入用排水管１６ａ，１８ａ内を逆流することなく安定して流下可能となっている。さらに、前記流入用排水管１６ａには、上流側の端部が下流側の端部より高い位置に配されたエルボ継手１９，１９が配設されている。このように、排水経路に落差が形成されることにより、雨水が該流入用排水管１６ａ内を逆流することなく安定して流下可能となる。なお、図３に示すエルボ継手１９，１９は、エルボ継手１９が二つ連接されて使用されているが、エルボ継手１９が単体で使用されてもよい。また、該エルボ継手１９は、適宜、流入用排水管１８ａ、あるいは流出用排水副管１７ａに配設されていてもよいし、前記流出用排水主管１５ａに配設されていてもよい。また、エルボ継手１９に代えて、屈曲形状をした他の継手が適宜使用されてもよい。
【００３２】
さらに、図４に示すように、前記分水ます１に接続された流入用排水管１８ａの他端には、排水ます２４が接続されている。さらに詳述すると、該排水ます２４は、有底筒状のます本体２５を備え、該ます本体２５の側壁には、下流側の開口２６と、該下流側の開口２６の下端より高い位置に下端が設定された上流側の開口２７とが設けられている。そして、該下流側の開口２６に該流入用排水管１８ａの他端が接続されている。かかる構成にあっても、排水経路に落差が形成されるため、雨水が該流入用排水管１８ａ内を逆流することなく安定して流下可能となる。なお、該排水ます２４は、適宜、流入用排水管１６ａ、あるいは流出用排水副管１７ａに配設されていてもよいし、前記流出用排水主管１５ａに配設されていてもよい。
【００３３】
図２〜図４に示すように、上記構成の分水ます１を用いた分水システム３０にあっては、流入用排水管１６ａ，１８ａを介して分水ます１のます本体２内に雨水が流入すると、まず基準流出口５を介して順次側溝１１１へ排水される。該基準流出口５には、オリフィス２０が取り付けられているので、側溝１１１へ排水される雨水量が適宜調整されている。
【００３４】
また、ゲリラ豪雨などで水量が増大し、分水ます１において基準流出口５から側溝１１１へ流出する雨水の量よりも、流入用排水管１６ａ，１８ａから該分水ます１に流入する雨水の量が多くなった際には、第２流出入兼用口７を介して浸透施設１１２へ排水される。ここで、流出用排水副管１７ａ及び流入用排水管１６ａ，１８ａには、管勾配が設定されていると共に、適宜エルボ継手１９や排水ます２４が配設されているため、雨水が所要の排水先に向かって円滑に流下する。
【００３５】
これまでに述べたように、分水ます１には、流出入兼用口６，７，８が複数設けられ、該複数の流出入兼用口６，７，８の下端は、該ます本体２において前記基準流出口５の下端より高い位置に設定され、かつ流出入兼用口６，７，８同士で互いに同じ高さとなるように配置されているため、施工現場に応じて流出用排水副管１７ａ及び流入用排水管１６ａ，１８ａを接続することができる。したがって、該分水ます１を用いることにより、排水管１６ａ〜１８ａを配管する際の設計の自由度が極めて向上する。また、該分水ます１の分水ます本体２は、平面視円形状であって、複数の流出入兼用口６，７，８がます本体２の側壁にバランス良く配置されているため、上記配管設計に無理が生じにくい。
【００３６】
ところで、図１，図２に示すように、該分水ます１にあっては、流入用排水管１６ａが接続された第１流出入兼用口６と、流出用排水副管１７ａが接続された第２流出入兼用口７とが対向して配置されている。そして、該第１流出入兼用口６と該第２流出入兼用口７との離間距離Ｄは、該第１流出入兼用口６の口径ｄ（図１ｂ参照）に対して、Ｄ≧３ｄを満たす長さに設定されている。このように、第１流出入兼用口６の口径ｄに対して前記離間距離Ｄが十分に確保されていると、基準流出口５から排水可能な雨量状況にも関わらず該第１流出入兼用口６を介して流入した雨水が該第２流出入兼用口７へ直接流入してしまう、といったことがない。
【００３７】
なお、上記分水システム３０は、雨水が基準流出口５を介して側溝１１１へ排水される構成であるが、該側溝１１１に代えて、雨水が基準流出口５を介して雨水本管へ排水される構成であってもよい。また、分水ます１に配設される流出入兼用口６，７，８の配設数は適宜変更可能である。仮に使用しない流出入兼用口がある場合、該流出入兼用口に開口を塞ぐキャップ等が装着されることとなる。また、上記分水システム３０にあって、上記管勾配、上記エルボ継手１９等の継手、あるいは上記排水ます２４は、最も逆流を防止すべき流入用排水管１６ａ，１８ａに少なくとも適用されていればよく、施工環境等によって適宜、流出用排水管１５ａ，１７ａにも適用される。
【符号の説明】
【００３８】
１              分水ます
２              ます本体
５              基準流出口
６，７，８      流出入兼用口
１５ａ          流出用排水主管
１６ａ，１８ａ  流入用排水管
１７ａ          流出用排水副管
１９            エルボ継手
２０            オリフィス
２２            フィルタ
２４            排水ます
３０            分水システム
Ｄ              離間距離
ｄ              口径
【図１】
0005898867.tif 000002
【図２】
0005898867.tif 000003
【図３】
0005898867.tif 000004
【図４】
0005898867.tif 000005
【図５】
0005898867.tif 000006